(57)【要約】      （修正有）【課題】自動入退場ゲート装置の設置工事が容易であり、さらに改札通路内における利用者を検知するためのセンサのメンテナンスや交換が容易にできる自動入退場ゲート装置を提供する。【解決手段】利用者の入退場する通路を開閉する自動入退場ゲート装置１であって、自動入退場ゲート装置に設けられている一方の拘束端側が取付軸により回動自在に取り付けられ、他方の自由端側が通路を閉じた位置と通路を開放した位置との間で回動自在であるフラップ４と、該フラップに駆動力を伝達して回動させる駆動部２と、利用者が所持する情報記録媒体に記録されている情報を読み取る情報読取部６と、利用者が前記通路に進入したことを検知するセンサ部８と、該センサ部の上を利用者が移動することにより信号を検知して利用者の位置および移動を監視する監視部１０と、読み取った情報と監視部の情報とに基づいてフラップを開閉する制御部３とを有する。【選択図】図１
0003164216.tif 000002
【実用新案登録請求の範囲】
【請求項１】
利用者の入退場する通路を開閉する自動入退場ゲート装置であって、
前記自動入退場ゲート装置に設けられている一方の拘束端側が取付軸により回動自在に取り付けられ、他方の自由端側が前記通路を閉じた位置と前記通路を開放した位置との間で回動自在であるフラップと、
前記フラップに駆動力を伝達して回動させる駆動部と、
前記利用者が所持する情報記録媒体に記録されている情報を読み取る情報読取部と、
前記利用者が前記通路に進入したことを検知するセンサ部と、
前記センサ部の上を前記利用者が移動することにより信号を検知して前記利用者の位置および移動を監視する監視部と、
前記読み取った情報と前記監視部の情報と、に基づいて前記フラップを開閉する制御部と、
を有することを特徴とする自動入退場ゲート装置。
【請求項２】
前記制御部は、前記情報記録媒体の情報と、前記監視部の情報と、前記センサ部の情報と、に基づいて前記フラップの開閉を判定する判定回路を有することを特徴とする請求項１に記載の自動入退場ゲート装置。
【請求項３】
前記センサ部は、押圧されて接触することにより信号を検知する複数のスイッチで構成され、前記スイッチは予め定められた範囲に複数個が１つの単位として区切られており、前記信号を検知した位置が特定できることを特徴とする請求項１または２に記載の自動入退場ゲート装置。
【請求項４】
前記センサ部は、圧力により信号を検知する複数の圧電素子で構成され、前記圧電素子は予め定められた範囲に複数個が１つの単位として区切られており、前記信号を検知した位置が特定できることを特徴とする請求項１または２に記載の自動入退場ゲート装置。
【請求項５】
前記センサ部は、静電容量の変化を検知する複数の静電容量センサで構成され、前記静電容量センサは予め定められた範囲に複数個が１つの単位として区切られており、前記静電容量の変化を検知した位置が特定できることを特徴とする請求項１または２に記載の自動入退場ゲート装置。
【請求項６】
前記センサ部は、複数の磁気センサ、複数の振動センサ、複数の電磁誘導センサ、複数の近接センサのいずれかで構成されていることを特徴とする請求項１または２に記載の自動入退場ゲート装置。
【請求項７】
前記制御部の判定結果を表示する液晶表示部と発光表示部と音声表示部とを有することを特徴とする請求項２に記載の自動入退場ゲート装置。
【請求項８】
前記利用者が入退場通路へ進入及び退出したことを検知する人感センサを有することを特徴とする請求項１から７のいずれか１項に記載の自動入退場ゲート装置。
【請求項９】
前記情報記録媒体を受け入れる券投入口と情報を読み取った後に前記情報記録媒体を返却する券返却口とを有することを特徴とする請求項１から８のいずれか１項に記載の自動入退場ゲート装置。
【請求項１０】
前記通路の幅を規制するフェンスを有することを特徴とする請求項１から９のいずれか１項に記載の自動入退場ゲート装置。
【考案の詳細な説明】
【技術分野】
【０００１】
本考案は、遊園地、劇場、競技場及び鉄道の駅などの施設に設置して、入退場などの自動改札を行うゲート装置に係わり、特にフラップ（扉）により開閉動作を行う自動入退場ゲート装置に関する。
【背景技術】
【０００２】
従来、遊園地、劇場、競技場及び鉄道の駅などに設置する自動入退場ゲート装置としては、例えば鉄道路線駅の改札口に設置される自動改札機がある。
【０００３】
この種の自動改札機として例えば特許文献１には、自動改札機の本体に乗車券や定期券などの乗車券類が挿入されると、その挿入された乗車券類に記録されているデータが読取られて改札処理が行われる。そして、その改札処理の結果により、利用者が改札通路を通過できるようにドアを開いたり、あるいはその通過を阻止するようにドアを閉じるようにすることが開示されている。
【０００４】
また自動改札機の本体には、改札通路内における利用者（乗客）の位置を検出するためのフォトセンサ等からなるセンサが設けられていて、無札者（無効券所持者も含む）を検知したときには、ドアを閉じるとともに、本体に設けられている表示器やスピーカから、利用者に対して改札できない旨などを報知することが開示されている。
【０００５】
また特許文献２には、図１０に示すように改札機本体に改札通路に沿って配置され当該改札通路に入場して来た利用者を光学的に検知する通行客検知センサが開示されている。この自動改札機１００は、改札通路１０２と開閉ドア１０３と通行客検知センサ１０４と券投入口１０５と券返却口１０６と表示器１０７とを備えて構成されている。
【０００６】
この通行客検知センサ１０４は光線を照射する投光素子及び当該投光素子からの光線を受ける受光素子から成るフォトセンサであって、投光素子を改札機本体１００に、受光素子を他の改札機本体（図示せず）に所定の間隔を置いて複数対取り付けている。この通行客検知センサ１０４は、改札機本体１００の券投入口１０５に券を投入せずに改札通路１０２に入場して来た客が投光素子より受光素子に向け照射された光線を遮断すると、その受光素子が判定回路に検知信号を出力し、この判定回路でその客が無札客であると判定されると、開閉ドア１０３の閉状態を維持して改札通路１０２から利用者の出場を阻止するものである。
【０００７】
上述したように自動改札機などの自動入退場ゲート装置において、利用者の通行を検知する手段としては、光学系センサによるものが一般的である。
【先行技術文献】
【特許文献】
【０００８】
【特許文献１】特開平８−１１５４４５号公報
【特許文献２】実用新案登録第２５８９２５２号公報（実開平７−３６２６０号公報）
【考案の概要】
【考案が解決しようとする課題】
【０００９】
特許文献１および特許文献２に開示されているフォトセンサ（光学系センサ）は、投光素子及び光線を受ける受光素子が別々の改札機に設置されているために、改札機本体を設置工事する時の精度（例えば垂直度や平行度など）が厳しく、装置設置面の平坦度を出すために床の不陸を調整する工事を行い、その後に平行に設置した改札機の投光素子と受光素子の光学系を調整しなければならないという問題があった。
【００１０】
また投光素子と受光素子が同じ改札機に設置されている装置の場合は、投光した光線を反射するための素子を、対面する別の改札機に設置する必要があり、上記と同様に改札機を設置工事する時の精度が必要であるという問題があった。
【００１１】
さらに経年使用により投光素子及び受光素子の光学系にズレが生じた時にはメンテナンスで光学系が直らない場合には、改札機の垂直度や平行度を再調整しなければならないという問題があった。
【００１２】
また経年使用による投光素子及び受光素子のレンズ面（またはカバー面）の汚れなどによるフォトセンサの不良では、改札機本体に埋め込まれているフォトセンサ自体の交換に手間がかかるという問題もあった。
【００１３】
本考案は、上記問題点に鑑みてなされたもので、自動入退場ゲート装置の設置工事が容易であり、さらに改札通路内における利用者を検知するためのセンサのメンテナンスや交換が容易にできる自動入退場ゲート装置を提供することを目的とする。
【課題を解決するための手段】
【００１４】
本考案の自動入退場ゲート装置は、利用者の入退場する通路を開閉する自動入退場ゲート装置であって、前記自動入退場ゲート装置に設けられている一方の拘束端側が取付軸により回動自在に取り付けられ、他方の自由端側が前記通路を閉じた位置と前記通路を開放した位置との間で回動自在であるフラップと、前記フラップに駆動力を伝達して回動させる駆動部と、前記利用者が所持する情報記録媒体に記録されている情報を読み取る情報読取部と、前記利用者が前記通路に進入したことを検知するセンサ部と、前記センサ部の上を前記利用者が移動することにより信号を検知して前記利用者の位置および移動を監視する監視部と、前記読み取った情報と前記監視部の情報と、に基づいて前記フラップを開閉する制御部と、を有することを特徴とする。
【考案の効果】
【００１５】
本考案によれば、自動入退場ゲート装置の設置工事が容易であり、さらに改札通路内における利用者を検知するためのセンサのメンテナンスや交換が容易にできる自動入退場ゲート装置を提供することが可能となる。
【図面の簡単な説明】
【００１６】
【図１】本考案の第１の実施形態に係る自動入退場ゲート装置を示す図である。
【図２】本考案の第１の実施形態に係るマットセンサの構成図である。
【図３】本考案の第１の実施形態に係る他のマットセンサの構成図である。
【図４】本考案の第１の実施形態の他の装置構成を説明する図である。
【図５】本考案の第１の実施形態の他の装置構成を説明する図である。
【図６】本考案の第１の実施形態の他の装置構成を説明する図である。
【図７】本考案の第２の実施形態に係る自動入退場ゲート装置を示す図である。
【図８】本考案の第２の実施形態の他の装置構成を説明する図である。
【図９】本考案の第２の実施形態の他の装置構成を説明する図である。
【図１０】従来の自動改札機の一例を示す外観斜視図である。
【考案を実施するための形態】
【００１７】
以下に本考案の第１の実施形態について、図面を参照して詳細に説明する。
【００１８】
（第１の実施形態）
＜自動入退場ゲート装置の構成＞
図１は、本考案の第１の実施形態に係る自動入退場ゲート装置を示す図である。図１（ａ）は自動入退場ゲート装置の外観斜視図であり、図１（ｂ）は自動入退場ゲート装置を上から見た図である。
【００１９】
自動入退場ゲート装置１は、駆動部２と制御部３とフラップ（扉）４とマットセンサ５と情報読取部６、券投入口６Ａ、券返却口６Ｂと表示部７、７Ａ、７Ｂとセンサ部８とフェンス９と監視部１０とを備えて構成される。矢印Ａは利用者の進行方向を示している。なお以下から自動入退場ゲート装置１を本ゲート装置１と記述する。
【００２０】
駆動部２は、フラップ４の開閉をモータ駆動により行う。モータの駆動軸に連結された回転駆動機構によりフラップ４の取付軸を駆動することでフラップ４の開閉を行う。
【００２１】
制御部３は、情報読取部６で読み取った情報記録媒体（例えばＩＣカードや磁気カード等）の情報および監視部１０の情報に基づいてフラップ４の開閉を制御する。また後述するが、マットセンサ５やセンサ部８からの情報を参照してフラップ４の開閉を制御する。なお制御部３は情報記録媒体の情報、監視部１０の情報、マットセンサ５の情報、センサ部８の情報、に基づいてフラップ４の開閉を判定する判定回路（図示せず）を有している。
【００２２】
フラップ４は、駆動部２に設けられている取付軸に回動自在に取り付けられている。上述した回転駆動機構によりフラップ４は開閉される。図１において開の時には利用者の進行方向前方側に倒れて（本ゲート装置１と平行な状態）いる。閉の時は改札通路を塞ぐ（本ゲート装置１と垂直な状態）ようになる。本実施形態においては、ノーマルクローズ型の例を示している。
【００２３】
マットセンサ５は、薄い平板状に形成され、改札通路１０２内の床に埋設する等して敷設されている。なおこれに限定されることはなく利用者の足が引っかからないように敷設されていれば良い。またシートやマットなどで覆っていても良い。マットセンサ５は図１（ａ）、図１（ｂ）に示すように改札通路１０２全体に渡って敷設されている。またマットセンサ５は本ゲート装置１と、例えば接続ケーブル等を介して通信可能に接続されている。
【００２４】
情報読取部６は、情報記録媒体としてＩＣカード（非接触型カード）等の場合を例に示している。情報記録媒体を情報読取部６に近づけることで情報を読み取る。また情報記録媒体として磁気カード等の場合は、情報読取部６には券投入口６Ａが併設され（または単独で設けられ）、そして券返却口６Ｂが設けられる。磁気カード等の場合は、券投入口６Ａから券を投入する。そして券返却口６Ｂから券が返却される。なお情報記録媒体を読み取るための構成は公知の技術を適用できる。
【００２５】
表示部７は、情報記録媒体の情報などを表示する。表示部７Ａは、利用者が通過を許可されない場合などに例えば赤色ランプなどを表示する。そして表示部７Ｂからスピーカを通してアナウンスされる。
【００２６】
センサ部８は、改札通路１０２への利用者の進入、又はその改札通路１０２からの退出、あるいは通過位置を検知するためのセンサである。例えば赤外線人感センサ、超音波センサなどが適用可能である。なお本実施形態においては、このセンサ部８は必ずしも設ける必要はない。それは後述するマットセンサ５にて人を検知することが可能だからである。
【００２７】
フェンス９は、改札通路１０２の幅を規制するものである。
【００２８】
監視部１０は、マットセンサ５のスイッチ１１からの出力が常時入力されていて、例えば非接触型カード（または磁気カード）からのデータ取り込みの有無に係わらず常時自動入退場ゲート装置１の改札通路内１０２の利用者の位置及び移動を監視して、その結果を制御部３に出力している。
【００２９】
＜マットセンサ５の構成＞
図２は、マットセンサ５の構成を説明する図であるマットセンサ５は滑り止めの上カバー１３と下カバー１４とスイッチ１１とで構成される。上カバーや下カバーは公知のゴムなどの弾性体を適用することができる。また高分子樹脂材料などのシートでも良い。図２（ｂ）に示すようにマットセンサ５の中にはリミットスイッチなどのように接触式であるスイッチ１１が無数設けられている。スイッチ１１は利用者の足１２で踏まれることで、その部分の接点がつながり、信号が接続ケーブルを介して制御部３に送られるようになっている。またマットセンサ５は長辺方向（改札通路の利用者の進行方向）にある間隔でグリッドに区切られている（図２ではａ〜ｌまで）。例えば図２（ａ）では、スイッチ１１が２列で１つのグループ（ａ〜ｌ）になっている。そして利用者が進行方向に進むとグリッドに沿って信号が進行方向に進むため利用者の移動を検知することが可能である。そして利用者の足１２が最初にグリッドａを踏むことで信号が流れ、次にグリッドｂ，ｃに信号が流れ、そしてグリッドｄ，ｅに信号が流れる。これを検知することで利用者の移動を知ることができる。なおスイッチ１１は公知の接触式のスイッチであれば適用可能である。また公知のマットスイッチなどを適用することができる。
【００３０】
上述したこのようなマットセンサにて改札通路内に利用者が入場したことや退場したこと、さらには利用者の移動状態、位置などを検出することができるため、設置工事の精度および調整が必要なフォトセンサを用いない自動入退場ゲート装置を提供することが可能となる。
【００３１】
＜他のマットセンサ５の構成＞
（圧電素子センサ方式）
図３は、マットセンサ５の他の実施形態を説明する図である。マットセンサ５は、滑り止めの上カバー１３と下カバー１４と圧電素子１５と電極１６とで構成される。上カバーや下カバーは公知のゴムなどの弾性体を適応することができる。また高分子樹脂材料などのシートでも良い。マットセンサ５は接触式検出方式のスイッチ１１の代わりに圧電素子１５を適用して、利用者の足１２で踏まれることで発生する起電力を信号として検知するものである。検知した信号は接続ケーブルを介して制御部３に送られるようになっている。接触式に比べこの検出方式は無接点出力方式なのでセンサの寿命が長くなる。利用者の移動を検出するために長辺方向（改札通路の利用者の進行方向）にある間隔でグリッドに区切られている（図３ではａ〜ｌまで）。例えば図３（ａ）では、スイッチ１１が２列で１つのグループ（ａ〜ｌ）になっている。検出の流れは図２と同様であるので省略する。またグリッドの区切りをマトリクス方式とすることで利用者の位置をより正確に検知することも可能である。なお、上述したようにグリッドの区切りではなく、マトリクス・スイッチのように碁盤の目のように区切ることで、縦と横の位置情報を検出することが可能となり、利用者の移動状態をより詳細に検知することができる。
【００３２】
（静電容量センサ方式）
本実施形態は、図３の圧電素子センサを静電容量センサに変えた構成のものである。本実施形態のマットセンサ５は、滑り止めの上カバー１３と下カバー１４と静電容量センサ１７とで構成される。上カバーや下カバーは公知のゴムなどの弾性体を適応することができる。また高分子樹脂材料などのシートでも良い。マットセンサ５は圧電素子１５の代わりに静電容量センサ１７を適用して、利用者が接近することで変化する静電容量を検知するものである。検知した静電容量の変化は接続ケーブルを介して制御部３に送られるようになっている。接触式に比べこの検出方式は無接点出力方式なのでセンサの寿命が長くなる。利用者の移動を検出するために長辺方向（改札通路の利用者の進行方向）にある間隔でグリッドに区切られている（図３ではａ〜ｌまで）。例えば図３（ａ）では、スイッチ１１が２列で１つのグループ（ａ〜ｌ）になっている。検出の流れは図２と同様であるので省略する。またグリッドの区切りをマトリクス方式とすることで利用者の位置をより正確に検知することも可能である。なお、上述したようにグリッドの区切りではなく、マトリクス・スイッチのように碁盤の目のように区切ることで、縦と横の位置情報を検出することが可能となり、利用者の移動状態をより詳細に検知することができる。
【００３３】
図３（ｃ）に静電容量センサ１７の概略を示す。静電容量センサ１７は、検出電極２１と絶縁体２２と遮蔽電極２３と図示しない発振回路と検出回路とを主な構成として備える。図３（ｃ）に示すように、検出電極２１に検出体２４が接近した時の静電容量Ｃｐの変化を検出するものである。検出体２４が検出電極２１に接近することにより、検出体２４と検出電極間の静電容量Ｃｐは増加する。この静電容量Ｃｐの変化を検知することで、利用者の移動状態、位置などを検出することができる。また利用者が接近することで変化する静電容量Ｃｐを検知できるため、利用者がマットセンサ５を踏まなくても、例えば、利用者がマットセンサ５を跨いだとしても利用者の移動状態、位置を非接触で検出することが可能である。また本実施形態においては利用者が接近した時の静電容量センサの信号としての周波数は１００ｋＨｚ〜２００ｋＨｚであるが、これに限ることはなく、発振周波数を調整することにより検出距離を調整することは任意である。
【００３４】
図３に示した圧電素子センサの代わりとして、振動センサ、磁気センサ、電磁誘導センサ、近接センサ（誘導型、静電容量型、磁気式）と呼ばれる公知のセンサを適用することが可能である。
【００３５】
上述した実施形態のマットセンサ５を適用することで、厳しい設置条件を求められるフォトセンサなどの光学系検知センサを用いることなく、改札通路１０２を通行する利用者の存在や移動および位置などを検知することが可能である自動入退場ゲート装置を提供することができる。
【００３６】
＜自動入退場ゲート装置１の動作＞
次に、自動入退場ゲート装置１の動作について、以下に非接触型カードを例にして説明する。
【００３７】
非接触型カードを所持した利用者が本ゲート装置１に接近して、非接触型カードを情報読取部６に近づけると非接触型カードのデータが制御部３の記憶部（例えばＲＡＭ）内に取込まれる。
【００３８】
このデータ取込が完全に行なわれると、制御部３のＣＰＵ（中央演算処理部）は、非接触型カードから受信したデータを基に演算処理し、その非接触型カードでの通過を許可できるものであるかを判定し、その判定の結果、通過を許可できるときはフラップ（扉）４を閉から開にする（ノーマルオープン型の場合は開状態を維持する）。そして改札時刻等の入，出場データを非接触型カードに送信する。非接触型カードでは、その受信された入，出場データを非接触型カードのメモリ内に書き込み一連の改札処理が終了する。もちろん、演算結果の判定が通過を許可できないときは、例えば取込まれたデータが有効期間外等であるときはフラップ４は閉のまま（ノーマルオープン型のときは開から閉となる）となって利用者の通過は阻止される。この場合は、後続の利用者の進入を阻止するために例えばランプ７Ａが赤色に表示される。そして、その利用者に対し、本ゲート装置１から退去して精算するように等の案内がスピーカ７Ｂからアナウンスされる。
【００３９】
次に、無札者が検出されたとき、又は非接触型カードと本ゲート装置１との間でデータの授受が不調のときは、通過を許可できないのでフラップ４は閉のままとなり（ノーマルオープン型のときは開から閉となる）、利用者に対し「非接触型カードを再度情報読取部６に接近させるように等」とのアナウンスがスピーカ７Ｂからなされる。
【００４０】
また制御部３にはマットセンサ５からの信号も入力されている。マットセンサ５のスイッチ１１からの出力が常時入力されていて、非接触型カードからのデータ取り込み（または磁気カードの投入）の有無に係わらず常時自動入退場ゲート装置１の改札通路内１０２の利用者の位置及び移動を監視している監視部（監視回路）があり、その結果を制御部３に出力している。
【００４１】
従って制御部３では、マットセンサ５からの入力信号を基に、利用者が有り、かつ非接触型カードのデータ取り込み（または磁気カードの投入）が有れば、適正券の場合、不正券の場合、読取り不良券の場合を識別する。また、利用者が有り、かつ非接触型カードのデータ取り込み（または磁気カードの投入）が無い場合（無札）も識別（認識）する。これらの識別結果に応じて、制御部３は、無札の場合にはフラップ４は閉のままで表示部７Ａを例えば赤色に発光表示し、表示部７Ｂからアナウンスを行う。また、不正券の場合にはフラップ４は閉のままで表示部７Ａを例えば赤色に発光表示する。読取り不良券の場合にはフラップ４は閉のままで表示部７Ａを例えば赤色に発光表示し、表示部７Ｂからアナウンスを行う。適正券の場合には、表示部７Ａの発光表示は行わない。
【００４２】
なお非接触型カードを例にして説明したがこれに限ることではなく、種々の応用が可能である。
【００４３】
なお上述した非接触型カードに対応した自動入退場ゲート装置１及び動作については、マットセンサ５以外については従来の公知の自動改札機と同様である。また磁気カードに対応した場合についても従来の公知の自動改札機と同様である。
【００４４】
＜第１の実施形態の他の装置構成＞
図４は、第１の実施形態の他の装置構成を説明する図である。上述した第１の実施形態で説明した自動入退場ゲート装置１を並列に並べた構成である。第１の実施形態と同様なところには同じ符号をつけ、詳細な説明は省略する。図４（ａ）は自動入退場ゲート装置２０の外観斜視図であり、図４（ｂ）は自動入退場ゲート装置２０を上から見た図である。
【００４５】
図５は、第１の実施形態の他の装置構成を説明する図である。上述した第１の実施形態で説明した自動入退場ゲート装置１を入場型および退場型の共通タイプにしたものである。第１の実施形態と同様なところには同じ符号をつけ、詳細な説明は省略する。図５（ａ）は自動入退場ゲート装置３０の外観斜視図であり、図５（ｂ）は自動入退場ゲート装置３０を上から見た図である。
【００４６】
図６は、第１の実施形態の他の装置構成を説明する自動入退場ゲート装置４０の外観斜視図である。上述した第１の実施形態で説明した自動入退場ゲート装置１を入場型および退場型の共通タイプにしたものを並列に並べた構成である。第１の実施形態と同様なところには同じ符号をつけ、詳細な説明は省略する。本実施形態においては、中央の自動入退場ゲート装置４０を左右からのフラップ４として、例えば車椅子などの通行に際して改札通路１０２の幅を広くとる場合に対応するための構成である。
【００４７】
以上説明した第１の実施形態の他の装置構成においては、自動入退場ゲート装置の構成、マットセンサ５の構成、他のマットセンサ５の構成、及び自動入退場ゲート装置の動作について、全てにおいて第１の実施形態と同様であるので詳細な説明は省略する。
【００４８】
次に本考案の第２の実施形態について、図面を参照して詳細に説明する。まず従来の鉄道の駅の自動改札機を遊園地、劇場、競技場、図書館などの施設の利用者チェック等の為に転用した場合には装置が複雑で大型すぎてしまう。例えば上記施設や博覧会等の入場に際して、それらの入場券について有効性を判断すべき場合、必要とされる情報量は、鉄道駅向けのものに比べて遥かに少量で良い。具体的には鉄道線等の出改札口に設置する装置の場合、有効年月日情報、有効区間情報、他社線連絡情報等多大な情報量を券に記載しておき、これらを逐次チェックする必要が有るのに対し、施設用の装置の場合は特定の施設に対応した券である事を示す情報と有効日及び大人・子供種別等が確認可能であれば十分である。
【００４９】
遊園地、劇場、競技場、図書館などの各施設等の場合は、特に手狭な都市部の施設等にあっては、スペースの問題から鉄道の駅の自動改札機のようにストレート状の搬送路を有する従来の筐体では大きすぎる上、入口通路と出口通路を分離せずに一台の機械で両方向の通行をチェック出来得る様な安価な装置であれば良い。
【００５０】
（第２の実施形態）
第２の実施形態は、第１の実施形態で説明した自動入退場ゲート装置を主に磁気カードやバーコードなどの対応型として安価な装置構成とし、入場型および退場型の共通タイプにしたものである。なお第１の実施形態と同様なところには同じ符号をつけ、詳細な説明は省略する。
【００５１】
＜自動入退場ゲート装置の構成＞
図７は、本考案の第２の実施形態に係る自動入退場ゲート装置を示す図である。図７（ａ）は自動入退場ゲート装置の外観斜視図であり、図７（ｂ）は自動入退場ゲート装置を上から見た図である。
【００５２】
自動入退場ゲート装置５０は、駆動部２と制御部３とフラップ（扉）４とマットセンサ５と情報読取部６、券投入口６Ａ、券返却口６Ｂと表示部７、７Ａ、７Ｂとフェンス９と監視部１０とを備えて構成される。矢印Ａ、矢印Ｂは利用者の進行方向を示している。なお以下から自動入退場ゲート装置５０を本ゲート装置５０と記述する。
【００５３】
駆動部２は、フラップ４の開閉をモータ駆動により行う。モータの駆動軸に連結された回転駆動機構によりフラップ４の取付軸を駆動することでフラップ４の開閉を行う。図７（ｂ）に示すようにフラップ４は左右どちらにも開閉できるようになっている。
【００５４】
制御部３は、情報読取部６、券投入口６Ａで読み取った情報記録媒体（例えばバーコードや磁気カード等）の情報および監視部１０の情報に基づいてフラップ４の開閉を制御する。また後述するが、マットセンサ５やセンサ部８からの情報を参照してフラップ４の開閉を制御する。なお制御部３は情報記録媒体の情報、監視部１０の情報、マットセンサ５の情報、センサ部８の情報、に基づいてフラップ４の開閉を判定する判定回路（図示せず）を有している。
【００５５】
フラップ４は、駆動部２に設けられている取付軸に回動自在に取り付けられている。上述した回転駆動機構によりフラップ４は開閉される。図７において開の時には利用者の進行方向前方側に倒れる。（本ゲート装置５０と平行な状態）閉の時は改札通路を塞ぐ（本ゲート装置５０と垂直な状態）ようになる。本実施形態においては、ノーマルクローズ型の例を示している。
【００５６】
マットセンサ５は、薄い平板状に形成され、改札通路１０２内の床に埋設する等して敷設されている。なおこれに限定されることはなく利用者の足が引っかからないように敷設されていれば良い。またシートやマットなどで覆っていても良い。マットセンサ５は図７（ａ）、図７（ｂ）に示すように改札通路１０２全体に渡って敷設されている。またマットセンサ５は本ゲート装置５０と、例えば接続ケーブル等を介して通信可能に接続されている。
【００５７】
情報読取部６は、情報記録媒体としてバーコードやＩＣカード（非接触型カード）等の場合を例に示している。情報記録媒体を情報読取部６に近づけることで情報を読み取る。また情報記録媒体として磁気カード等の場合は、券投入口６Ａから券を投入する。そして券返却口６Ｂから券が返却される。なお情報記録媒体を読み取るための構成は公知の技術を適用できる。
【００５８】
表示部７は、情報記録媒体の情報などを表示する。表示部７Ａは、利用者が通過を許可されない場合などに例えば赤色ランプなどを表示する。そして表示部７Ｂからスピーカを通してアナウンスされる。
【００５９】
フェンス９は、改札通路１０２の幅を規制するものである。
【００６０】
監視部１０は、マットセンサ５のスイッチ１１からの出力が常時入力されていて、例えば非接触型カード（または磁気カード）からのデータ取り込みの有無に係わらず常時自動入退場ゲート装置１の改札通路内１０２の利用者の位置及び移動を監視して、その結果を制御部３に出力している。
【００６１】
マットセンサ５の構成ならびに他のマットセンサ５の構成については、第１の実施形態で説明したものと同様であるので詳細な説明は省略する。
【００６２】
＜自動入退場ゲート装置５０の動作＞
次に、自動入退場ゲート装置５０の動作について、以下に磁気カードを例にして説明する。
【００６３】
磁気カードを所持した利用者が本ゲート装置５０に接近して、磁気カードを券投入口６Ａに投入すると磁気カードのデータを読み込む。
【００６４】
このデータ取込が完全に行なわれると、制御部３のＣＰＵ（中央演算処理部）は、磁気カードから取得したデータを基に演算処理し、その磁気カードでの通過を許可できるものであるかを判定し、その判定の結果、通過を許可できるときはフラップ（扉）４を閉から開にする（ノーマルオープン型の場合は開状態を維持する）。そして改札時刻等の入，出場データを磁気カードに記録する。そして一連の改札処理が終了する。もちろん、演算結果の判定が通過を許可できないときは、例えば取込まれたデータが有効期間外等であるときはフラップ４は閉のまま（ノーマルオープン型のときは開から閉となる）となって利用者の通過は阻止される。この場合は、後続の利用者の進入を阻止するために例えばランプ７Ａが赤色に表示される。そして、その利用者に対し、本ゲート装置１から退去して精算するように等の案内がスピーカ７Ｂからアナウンスされる。
【００６５】
次に、無札者が検出されたとき、又は磁気カードと本ゲート装置５０との間でデータの授受が不調のときは、通過を許可できないのでフラップ４は閉のままとなり（ノーマルオープン型のときは開から閉となる）、利用者に対し「磁気カードを再度券投入口６Ａに投入するように等」とのアナウンスがスピーカ７Ｂからなされる。
【００６６】
また制御部３にはマットセンサ５からの信号も入力されている。マットセンサ５のスイッチ１１からの出力が常時入力されていて、非接触型カードからのデータ取り込み（または磁気カードの投入）の有無に係わらず常時自動入退場ゲート装置１の改札通路内１０２の利用者の位置及び移動を監視している監視部（監視回路）があり、その結果を制御部３に出力している。
【００６７】
従って制御部３では、マットセンサ５からの入力信号を基に、利用者が有り、かつ磁気カードの磁気カードの投入が有れば、適正券の場合、不正券の場合、読取り不良券の場合を識別する。また、利用者が有り、かつ磁気カードの投入が無い場合（無札）も識別（認識）する。これらの識別結果に応じて、制御部３は、無札の場合にはフラップ４は閉のままで表示部７Ａを例えば赤色に発光表示し、表示部７Ｂからアナウンスを行う。また、不正券の場合にはフラップ４は閉のままで表示部７Ａを例えば赤色に発光表示する。読取り不良券の場合にはフラップ４は閉のままで表示部７Ａを例えば赤色に発光表示し、表示部７Ｂからアナウンスを行う。適正券の場合には、表示部７Ａの発光表示は行わない。
【００６８】
上述した自動入退場ゲート装置５０の動作は矢印Ａ方向から進行（例えば入場）しても矢印Ｂ方向から進行（例えば退場）しても同様である。利用者が磁気カードを投球した券投入口側から進行するものと判断してフラップ４の開閉を行うようになっている。本実施形態によれば、省スペースで、どちらの改札通路１０２でも入退場が可能となる。
【００６９】
なお磁気カードを例にして説明したがこれに限ることではなく種々の応用が可能である。
【００７０】
なお上述した磁気カードに対応した自動入退場ゲート装置５０及び動作については、マットセンサ５以外については従来の公知の自動改札機と同様である。また磁気カードに対応した場合についても従来の公知の自動改札機と同様である。
【００７１】
＜第２の実施形態の他の装置構成＞
図８は、第２の実施形態の他の装置構成を説明する図である。図８（ａ）は自動入退場ゲート装置６０の外観斜視図であり、図８（ｂ）は自動入退場ゲート装置６０を上から見た図である。上述した第２の実施形態で説明した自動入退場ゲート装置５０のフラップ４を両側に設けたものであり、両側とも入場型および退場型の共通タイプにしたものである。第２の実施形態と同様なところには同じ符号をつけ、詳細な説明は省略する。第２の実施形態と違うのは、券投入口６Ａと券返却口６Ｂと情報読取部６とが２つずつ設けられている点である。本実施形態によれば、省スペースで、どちらの改札通路１０２でも入退場が可能となる。
【００７２】
図９は、第２の実施形態の他の装置構成を説明する自動入退場ゲート装置７０の外観斜視図である。第２の実施形態と同様なところには同じ符号をつけ、詳細な説明は省略する。上述した第２の実施形態で説明した自動入退場ゲート装置６０を入場型および退場型の共通タイプにしたものを並列に並べた構成である。また本実施形態においては、中央の自動入退場ゲート装置７０を左右からのフラップ４として、例えば車椅子などの通行に際して改札通路１０２の幅を広くとる場合に対応するための構成である。本実施形態によれば、省スペースで、どちらの改札通路１０２でも入退場が可能となる。
【００７３】
以上説明した第２の実施形態の他の装置構成においては、自動入退場ゲート装置の構成、マットセンサ５の構成、他のマットセンサ５の構成、及び自動入退場ゲート装置の動作について、全てにおいて第２の実施形態と同様であるので詳細な説明は省略する。
【００７４】
以上、本考案の好適な実施の形態により本考案を説明した。ここでは特定の具体例を示して本考案を説明したが、実用新案登録請求の範囲に定義された本考案の広範囲な趣旨及び範囲から逸脱することなく、これら具体的に様々な修正及び変更が可能である。
【００７５】
本考案に係る自動入退場ゲート装置の前記制御部は、前記情報記録媒体の情報と、前記監視部の情報と、前記センサ部の情報と、に基づいて前記フラップの開閉を判定する判定回路を有することを特徴とする。
【００７６】
本考案に係る自動入退場ゲート装置の前記センサ部は、押圧されて接触することにより信号を検知する複数のスイッチで構成され、前記スイッチは予め定められた範囲に複数個が１つの単位として区切られており、前記信号を検知した位置が特定できることを特徴とする。
【００７７】
本考案に係る自動入退場ゲート装置の前記センサ部は、圧力により信号を検知する複数の圧電素子で構成され、前記圧電素子は予め定められた範囲に複数個が１つの単位として区切られており、前記信号を検知した位置が特定できることを特徴とする。
【００７８】
本考案に係る自動入退場ゲート装置の前記センサ部は、静電容量の変化を検知する複数の静電容量センサで構成され、前記静電容量センサは予め定められた範囲に複数個が１つの単位として区切られており、前記静電容量の変化を検知した位置が特定できることを特徴とする。
【００７９】
本考案に係る自動入退場ゲート装置の前記センサ部は、複数の磁気センサ、複数の振動センサ、複数の電磁誘導センサ、複数の近接センサのいずれかで構成されていることを特徴とする。
【００８０】
本考案に係る自動入退場ゲート装置は、前記制御部の判定結果を表示する液晶表示部と発光表示部と音声表示部とを有することを特徴とする。
【００８１】
本考案に係る自動入退場ゲート装置は、前記利用者が入退場通路へ進入及び退出したことを検知する人感センサを有することを特徴とする。
【００８２】
本考案に係る自動入退場ゲート装置は、前記情報記録媒体を受け入れる券投入口と情報を読み取った後に前記情報記録媒体を返却する券返却口とを有することを特徴とする。
【００８３】
本考案に係る自動入退場ゲート装置は、前記通路の幅を規制するフェンスを有することを特徴とする。
【符号の説明】
【００８４】
１    自動入退場ゲート装置
２    駆動部
３    制御部
４    フラップ
５    マットセンサ
６    情報読取部
７    表示部
７Ａ    表示部（発光部）
７Ｂ    表示部（スピーカ）
８    センサ部
９    フェンス
１０    監視部
１１    スイッチ
１２    利用者の足
１３    上カバー
１４    下カバー
１５    圧電素子
１６    電極
１７    静電容量センサ
２０    自動入退場ゲート装置
２１    検出電極
２２    絶縁体
２３    遮蔽電極
２４    検出体
３０    自動入退場ゲート装置
４０    自動入退場ゲート装置
５０    自動入退場ゲート装置
６０    自動入退場ゲート装置
７０    自動入退場ゲート装置
１００    従来の自動改札機
１０２    改札通路
１０３    開閉ドア
１０４    通行客検知センサ
１０５    券投入口
１０６    券返却口
１０７    表示器
【図１】
0003164216.tif 000003
【図２】
0003164216.tif 000004
【図３】
0003164216.tif 000005
【図４】
0003164216.tif 000006
【図５】
0003164216.tif 000007
【図６】
0003164216.tif 000008
【図７】
0003164216.tif 000009
【図８】
0003164216.tif 000010
【図９】
0003164216.tif 000011
【図１０】
0003164216.tif 000012